(57)【特許請求の範囲】
【請求項１】
通電情報を表示する機器を内蔵する分電盤において、
分電盤の外装をなす筐体に開閉自在に設けられた扉と、
前記扉の開閉を検知する検知手段と、
前記検知手段からの検知信号を前記機器に伝える伝送手段と、
警報を報知する警報手段と、
前記扉の開閉状態の時間を計測するタイマと、
前記検知手段からの検知信号に基づいて前記扉の開閉状態を判別する判別部と、を備え、
前記機器は、前記扉が開状態になったときに、その時の通電情報が、前回の扉の開状態のときの通電情報から変化しているか否かを判断し、通電情報が変化していると判断したときは、前記表示の状態を通電情報が変化していないときと異ならせ、
前記判別部は、前記タイマの計測時間に基づいて、前記扉の閉状態の時間が所定時間を越えると前記警報手段に警報を報知させることを特徴とする分電盤。
【請求項２】
通電情報を表示する機器を内蔵する分電盤において、
分電盤の外装をなす筐体に開閉自在に設けられた扉と、
前記扉の開閉を検知する検知手段と、
前記検知手段からの検知信号を前記機器に伝える伝送手段と、
前記扉が開状態になったときに前記機器の情報を報知する音声案内手段と、を備え、
前記機器は、前記扉が開状態になったときに、その時の通電情報が、前回の扉の開状態のときの通電情報から変化しているか否かを判断し、通電情報が変化していると判断したときは、前記表示の状態を通電情報が変化していないときと異ならせることを特徴とする分電盤。
【請求項３】
前記機器による通電情報表示は、前記扉が開状態のときにのみ行われることを特徴とする請求項１又は請求項２に記載の分電盤。
【請求項４】
前記扉は、扉の開状態と閉状態とで表示状態を異ならせた開閉表示部を有していることを特徴とする請求項１乃至請求項３の何れか一項に記載の分電盤。
【発明の詳細な説明】
【技術分野】
【０００１】
本発明は、通電情報を表示する分電盤に関する。
【背景技術】
【０００２】
従来から、分電盤は、異常時に回路を遮断するブレーカを複数の回路に備え、このブレーカは、正常時には押し込まれた位置にあり、漏電時には突出して漏電表示をするボタン型の表示部を備えている。ところが、この構成においては、漏電以外の過電流や短絡等の異常が発生したとき、ブレーカが作動して回路遮断がなされても、その原因が容易に分からない。また、回路の電流や電圧に係る通電状態を点検するには、電流計や電圧計によって測定しなければならず、手間を要した。
【０００３】
また、通電情報を表示する液晶等の表示部を有するブレーカを備えた分電盤が知られている。この分電盤においては、表示部に通電状態や、漏電や過電流等の異常内容が表示される。
【０００４】
上述したような分電盤の点検においては、前回の点検時と比べて通電状態が変化したブレーカを把握することができれば、通電状態が変化したブレーカを重点的に点検することにより、点検の作業効率を良くすることができる。しかしながら、これらの分電盤においては、分電盤の点検において前回の点検時と比べて通電状態が変化したブレーカの通電状態を調べようとすると、前回の通電情報の記録を調べなければならず手間を要した。このことは、ブレーカのみならず、分電盤内に配された電力計やタイムスイッチ等においても同様であり、電力計やタイムスイッチ等においても、前回の点検時と比べて通電状態が変化したか否かが分かると、点検の作業効率を良くすることができる。以下、ブレーカ、電力計、及びタイムスイッチ等を総称して機器という。
【０００５】
また、扉の開閉状態を監視できるようにした分電盤が知られている（例えば、特許文献１参照）。
【０００６】
しかしながら、特許文献１に示されるような分電盤においても、分電盤の点検において、前回の点検時と比べて通電状態が変化したブレーカの通電状態を調べようとすると、前回の通電情報の記録を調べなければならず、手間を要した。
【特許文献１】特開２００３−１３４６１６号公報
【発明の開示】
【発明が解決しようとする課題】
【０００７】
本発明は、上記問題を解消するものであり、前回の点検時と比べて通電状態が変化した機器を容易に把握することができ、点検の作業効率を良くすることができる分電盤を提供することを目的とする。
【課題を解決するための手段】
【０００８】
上記目的を達成するために請求項１の発明は、通電情報を表示する機器を内蔵する分電盤において、分電盤の外装をなす筐体に開閉自在に設けられた扉と、前記扉の開閉を検知する検知手段と、前記検知手段からの検知信号を前記機器に伝える伝送手段と、警報を報知する警報手段と、前記扉の開閉状態の時間を計測するタイマと、前記検知手段からの検知信号に基づいて前記扉の開閉状態を判別する判別部と、を備え、前記機器は、前記扉が開状態になったときに、その時の通電情報が、前回の扉の開状態のときの通電情報から変化しているか否かを判断し、通電情報が変化していると判断したときは、前記表示の状態を通電情報が変化していないときと異ならせ、前記判別部は、前記タイマの計測時間に基づいて、前記扉の閉状態の時間が所定時間を越えると前記警報手段に警報を報知させるものである。
【０００９】
請求項２の発明は、通電情報を表示する機器を内蔵する分電盤において、分電盤の外装をなす筐体に開閉自在に設けられた扉と、前記扉の開閉を検知する検知手段と、前記検知手段からの検知信号を前記機器に伝える伝送手段と、前記扉が開状態になったときに前記機器の情報を報知する音声案内手段と、を備え、前記機器は、前記扉が開状態になったときに、その時の通電情報が、前回の扉の開状態のときの通電情報から変化しているか否かを判断し、通電情報が変化していると判断したときは、前記表示の状態を通電情報が変化していないときと異ならせるものである。
【００１０】
請求項３の発明は、請求項１又は請求項２に記載の分電盤において、前記機器による通電情報表示は、前記扉が開状態のときにのみ行われるものである。
【００１１】
請求項４の発明は、請求項１乃至請求項３の何れか一項に記載の分電盤において、前前記扉は、扉の開状態と閉状態とで表示状態を異ならせた開閉表示部を有していることを特徴とするものである。
【発明の効果】
【００１３】
請求項１の発明によれば、分電盤の扉を開いたときに、前回の通電状態の点検時と比べて通電状態が変化した機器を容易に把握することができるので、分電盤の点検の作業効率を良くすることができる。また、長期間、扉が閉状態のときには点検するように警報によって注意喚起が行なわれるので、通電異常を早期に発見することができる。
【００１４】
請求項２の発明によれば、分電盤の扉を開いたときに、前回の通電状態の点検時と比べて通電状態が変化した機器を容易に把握することができるので、分電盤の点検の作業効率を良くすることができる。また、操作方法が報知されるので、分電盤の点検や機器の交換が適切に行なわれ、分電盤の信頼性が良くなる。
【００１５】
請求項３の発明によれば、扉が閉状態のときに、通電情報表示を行なわないので、省エネルギになる。
【００１６】
請求項４の発明によれば、扉の開閉状態が確認しやすいので、扉の閉め忘れを防ぐことができ、機器を外部環境から保護することができる。また、扉の閉め忘れを防止できるので、扉が閉状態のときに通電情報表示を行わない場合には、閉め忘れによる無駄な表示をなくし省エネルギになる。
【発明を実施するための最良の形態】
【００１８】
（第１の実施形態）
本発明の第１の実施形態に係る分電盤について、図１乃至図３を参照して説明する。図１及び図２は、分電盤の外観を、図３は分電盤のブロック構成を示す。分電盤１は、筐体２と、外部の商用電源に接続された主幹回路（図示せず）に配設された主幹ブレーカ３ａと、主幹回路から分岐された複数の分岐回路（図示せず）に配設された分岐ブレーカ３ｂと、を備えており、筐体２には扉２１が設けられている。主幹ブレーカ３ａとブレーカ３ｂは機器を構成する。以下、主幹ブレーカ３ａ及び分岐ブレーカ３ｂを総称する場合は、ブレーカ３と記す。分電盤１は、また、扉２１の開閉を検知する検知部４（検知手段）と、検知部４の検知信号をブレーカ３に伝達する通信線５（伝送手段）を筐体２内に備えている。ブレーカ３は、前面に通電情報を表示する情報表示部３１と開閉機構３２とを有している。情報表示部３１は、例えば液晶パネルやＬＥＤである。検知部４は、例えばリミットスイッチやリードスイッチや近接スイッチ等である。
【００１９】
図４は、主幹ブレーカ３ａの構成を示す。主幹ブレーカ３ａと分岐ブレーカ３ｂは、同様の構成であるので、主幹ブレーカ３ａの構成を説明して、分岐ブレーカ３ｂの説明は省略する。主幹ブレーカ３ａは、外部電源に繋がる主幹回路３３に開閉機構３２を配設されており、開閉機構３２により主幹回路３３を引き外す引き外し回路部３４を有している。また、主幹ブレーカ３ａは、主幹回路３３に流れる電流を検出する電流検出部３５ａと、電圧を検出する電圧検出部３５ｂと、漏電を検出する漏電検出部３５ｃと、各検出信号に基づいて通電異常を判断する処理部３６と、通電情報を記憶する記憶部３７と、電源部３８を有している。
【００２０】
処理部３６は、通信線５と繋がっており、検知部４からの検知信号を受信する。電源部３８は、主幹回路３３の線間電圧から処理部３６等に駆動電源を供給する。
【００２１】
上記のように構成された分電盤１の動作について説明する。処理部３６は、電流検出部３５ａ、電圧検出部３５ｂ及び漏電検出部３５ｃからの検出信号に基づいて、通電正常時には情報表示部３１に電流値、電圧値、電力量等を表示する。通電正常時の表示内容は、予め処理部３６に設定される。表示内容は、一定時間毎に変わるようにしてもよい。また、処理部３６は、通電異常時には、情報表示部３１に過電流や漏電等の異常内容を表示すると共に、引き外し回路部３４に引き外し信号を出力する。引き外し信号を取得した引き外し回路部３４は、開閉機構３２により主幹回路３３を引き外す。
【００２２】
検知部４は、扉２１の開閉状態を、通信線５を介して処理部３６に伝達する。処理部３６は、扉２１が開状態のときの通電情報を記憶部３７に記憶させる。そして、処理部３６は、扉２１が開状態になったときに、通電情報が、前回の扉２１の開状態時から変化しているかを記憶部３７のデータに基づいて判断する。処理部３６は、通電情報が変化している場合と変化していない場合とで、表示状態を異ならせ、例えば、変化している場合には、明るく表示し、変化していない場合には、薄暗く表示する。処理部３６は、通電情報が変化している場合のみ表示を点滅させてもよい。
【００２３】
図５は、情報表示部３１における扉の前回の開状態、及び今回の開状態での表示内容をそれぞれ左右に示す。情報表示部３１は、通電正常時には電力量を表示している。そして、今回の開状態のときの情報表示部３１ａ、３１ｂ、３１ｆは、前回の扉が開状態のときと表示する電力量が変化しているので、電力量を明るく表示し、情報表示部３１ｄは、前回と電力量が同じであるので、電力量を薄暗く表示している。また、情報表示部３１ｃ、３１ｅは、通電異常が発生し、前回の扉が開状態のときと通電情報が変化しているので、異常内容を明るく表示している。これにより、分電盤の扉を開いたときに、前回の通電状態の点検時と比べて通電状態が変化した機器を容易に把握することができるので、分電盤の点検の作業効率を良くすることができる。
【００２４】
また、処理部は、検知部からの信号に基づき、扉が閉状態のときには、通電情報を情報表示部に表示しないようにしてもよい。扉が閉状態のときに、情報表示部が表示しないので、省エネルギになる。
【００２５】
次に、本実施形態の第１の変形例について図６を参照して説明する。本変形例では、検知部４は、扉の開閉状態の検知信号を発信する無線発信機５１ａを有し、主幹ブレーカ３ａ及びブレーカ３ｂは、無線発信機５１ａからの検知信号を受信する無線受信機５１ｂを有している。検知部４は、扉の開閉状態の検知信号を無線で主幹ブレーカ３ａ及びブレーカ３ｂに伝達する。通信線を用いないので、配線の手間を省くことができる。
【００２６】
次に、本実施形態の第２の変形例について図７（ａ）、（ｂ）及び図８を参照して説明する。分電盤１は、扉２１の前面に開閉表示部２２を有している。開閉表示部２２は、例えば、液晶パネル２２ａやＬＥＤ２２ｂ等である。開閉表示部２２は、検知部４と通信線５によって繋がっており、扉２１が開状態のときには点灯し、閉状態のときには消灯する。このように、扉２１の開閉状態が確認し易いので、扉２１の閉め忘れを防ぐことができ、ブレーカ３を外部環境から保護することができる。また、扉２１が閉状態のときに、情報表示部３１が表示しないようにしている場合には、閉め忘れを防ぐことにより無駄な表示をなくし、省エネルギになる。
【００２７】
（第２の実施形態）
次に、本発明の第２の実施形態に係る分電盤について、図９を参照して説明する。分電盤１は、警報を報知する警報部６（警報手段）と、扉の開閉状態の時間を計測するタイマ７と、検知部４からの検知信号に基づいて扉の開閉状態を判別する判別部８と、を備えている。警報部６は、例えばブザーである。判別部８は、タイマ７の計測時間に基づいて、扉の閉状態の時間が所定時間を越えると警報部６に警報を行なわせ、通電状態の点検が所定時間、行なわれていないことを報知する。このように、長期間、扉が閉状態のときには点検するように注意喚起が行なわれるので、通電異常の早期発見が可能となる。また、ＬＥＤ等の表示装置によって注意喚起を行なってもよい。警報部６によって注意喚起するのと同等の効果を得ることができる。
【００２８】
（第３の実施形態）
次に、本発明の第３の実施形態に係る分電盤について、図１０を参照して説明する。分電盤１は、音声案内部９（音声案内手段）を有している。音声案内部９は、検知部４と通信線５によって繋がっており、検知部４から扉の開状態の検知信号を受けると、ブレーカ３の情報を報知する。情報には、分電盤１の点検項目やブレーカ３の交換時期や故障時の警報等が含まれる。このように操作方法が報知されることにより、分電盤１の点検やブレーカ３の交換が適切に行なわれ、分電盤１の信頼性が良くなる。
【００２９】
なお、本発明は、上記各種実施形態の構成に限られず、発明の趣旨を変更しない範囲で種々の変形が可能である。例えば、検知部からブレーカへの通信線の配線は、スター配線でも送り配線でもよく、どちらの配線でも同様の効果を得ることができる。また、開閉表示部は、筐体に配設してもよい。扉に配設するのと同様の効果を得ることができる。
【図面の簡単な説明】
【００３０】
【図１】本発明の第１の実施形態に係る分電盤の斜視図。
【図２】同分電盤において扉を取り外したときの斜視図。
【図３】同分電盤の構成図。
【図４】同分電盤の主幹ブレーカの構成図。
【図５】同分電盤の情報表示部の表示内容を示す図。
【図６】同分電盤の第１の変形例の斜視図。
【図７】（ａ）及び（ｂ）は、同分電盤の第２の変形例の斜視図。
【図８】同分電盤の第２の変形例の構成図。
【図９】本発明の第２の実施形態に係る分電盤の構成図。
【図１０】本発明の第３の実施形態に係る分電盤の構成図。
【符号の説明】
【００３１】
１  分電盤
２  筐体
２１  扉
３  ブレーカ
３ａ  主幹ブレーカ（機器）
３ｂ  分岐ブレーカ（機器）
４  検知部（検知手段）
５  通信線（伝送手段）
６  警報部（警報手段）
７  タイマ
８  判別部
９  音声案内部（音声案内手段）
【図１】
0005069575.tif 000002
【図２】
0005069575.tif 000003
【図３】
0005069575.tif 000004
【図４】
0005069575.tif 000005
【図５】
0005069575.tif 000006
【図６】
0005069575.tif 000007
【図７】
0005069575.tif 000008
【図８】
0005069575.tif 000009
【図９】
0005069575.tif 000010
【図１０】
0005069575.tif 000011